(57)【要約】【課題】交換しやすい展開型吸収性物品を提供する。【解決手段】展開型吸収性物品の後身頃１９のサイドフラップ２２Ａ，２２Ｂの両側にサイドパネル２３Ａ，２３Ｂを固定して備え、サイドパネル２３Ａ，２３Ｂの自由端部に前身頃１６と止着する止着部２４を設け、自由端部を止着部２４が内側となるようにサイドパネル２３Ａ，２３Ｂの固定端部に折曲して第１の接着強度で剥離可能に固定し、固定端部を自由端部が内側となるようにサイドフラップ２２Ａ，２２Ｂに折曲して第２の接着強度で剥離可能に固定する。このとき、第２の接着強度を第１の接着強度より大きくする。【選択図】      図１
2004298455.tif 000002
【特許請求の範囲】
【請求項１】
後身頃にサイドフラップを有し、該サイドフラップの両側にサイドパネルを固定して備え、該サイドパネルの自由端部に前身頃と止着する止着部を設けた、身体に装着して排泄物を吸収し保持する展開型吸収性物品において、
前記自由端部は、前記止着部が内側となるように前記サイドパネルの固定端部に第１の接着強度で剥離可能に折曲・固定され、
前記固定端部は、前記自由端部が内側となるように前記サイドフラップに第２の接着強度で剥離可能に折曲・固定された展開型吸収性物品であって、
前記第２の接着強度が前記第１の接着強度より大きいことを特徴とする、展開型吸収性物品。
【請求項２】
前記第２の接着強度が接着剤によってなされていることを特徴とする、請求項１に記載の展開型吸収性物品。
【請求項３】
前記止着部がメカニカルファスナーのオス材であることを特徴とする、請求項１または２に記載の展開型吸収性物品。
【請求項４】
前記止着部が粘着テープであることを特徴とする、請求項１または２に記載の展開型吸収性物品。
【請求項５】
後身頃のサイドフラップの両側にサイドパネルを備え、該サイドパネルの自由端部に前身頃と止着する止着部を備え、身体に装着して排泄物を吸収し保持する展開型吸収性物品の製造方法において、
前記自由端部を前記止着部が内側となるように前記サイドパネルの固定端部に折り返して第１の接着強度で剥離可能に固定した後、
前記固定端部を前記自由端部が内側となるように前記サイドフラップに折り返して前記第１の接着強度より大きい第２の接着強度で剥離可能に固定することを特徴とする、展開型吸収性物品の製造方法。
【発明の詳細な説明】
【０００１】
【発明の属する技術分野】
この発明は、後身頃にサイドフラップを有し、サイドフラップの両側にサイドパネルを固定して備え、サイドパネルの自由端部に前身頃と止着する止着部を設けた、身体に装着して排泄物を吸収し保持する展開型吸収性物品およびその展開型吸収性物品の製造方法に関する。
【０００２】
【従来の技術】
従来の展開型吸収性物品の一例としての展開型紙おむつは、液透過性のトップシートと液不透過性のバックシートと、その間に介在する吸収体を備えてなり、展開型紙おむつの前身頃の左右両側には前身頃サイドフラップが延出し、後身頃の左右両側には後身頃サイドフラップが延出する。そして、後身頃サイドフラップの使用面側はトップシートまたはギャザーシートからなり、後身頃サイドフラップの両側にサイドパネルを備え、そのサイドパネルには前身頃のバックシートの不織布と止着するメカニカルファスナーのオス材からなる止着部が設けられている。
【０００３】
展開型紙おむつは製造時に、製造ライン上で連続して包装形状に折り畳まれていくが、その際、後身頃サイドフラップの両側に備えるサイドパネルは止着部が内側となるようにトップシート側に折り畳まれサイドフラップ内に収納される。詳しくは、トップシートまたはギャザーシート上に止着部を折り畳み、メカニカルファスナーのオス材をトップシートまたはギャザーシートに係合させることによってサイドパネルを後身頃サイドフラップ上に剥離可能に固定する。
【０００４】
しかし、このような従来の展開型紙おむつは、メカニカルファスナーのオス材とトップシートまたはギャザーシートとの係合力によって仮止めしているので、トップシートまたはギャザーシートがメス材として十分機能せず、止着部と所望の係合力を有しない場合、一旦折り畳まれた止着部が開いてしまい、後身頃サイドフラップの両端から張り出し、製造ライン上で引っかかってライントラブルの原因となり、製造効率が下がるという問題と、自由端部がラインの流れ方向に対して垂直に折れないという問題があった。
【０００５】
そこで、図６に示すような展開型紙おむつが提案されている（例えば、特許文献１）。この展開型紙おむつは、液透過性のトップシート１と液不透過性のバックシート２と、その間に介在する不図示の吸収体を備え、後身頃３の左右両側には後身頃サイドフラップ４を延出する。そして、後身頃サイドフラップ４の両側には、サイドパネル６を備える。そのサイドパネル６には、メカニカルファスナーのオス材からなる止着部５が取り付けられている。
【０００６】
このとき、サイドパネル６は、トップシート１とバックシート２との間に備えられ、ホットメルトなどの接着剤７によって接着される。そして、この接着剤７を多く塗布すると、トップシート１とサイドパネル６との接着面からトップシート１の表面にまで接着剤７が浸透する。したがって、製造工程において、サイドパネル６がトップシート１上に折り畳まれたとき、サイドパネル６が止着部５を介してトップシート１に係合するとともに、接着剤７の粘着力によりトップシート１に付着する。
【０００７】
これによって、止着部５とトップシート１との係合力に接着剤７による接合力を加えることができ、製造ライン上にて、折り畳まれた止着部６が開き、ライントラブルが発生することを回避することができる。
【０００８】
【特許文献１】
特開２０００−１４６９６号公報
【０００９】
【発明が解決しようとする課題】
しかし、このような展開型紙おむつでは、止着部５とトップシート１との付着力が大きくなるので、使用するときに介護者が止着部５を剥しにくく、おむつ交換がしにくいという問題があった。
そこで、この発明の目的は、交換しやすい展開型吸収性物品を提供することにある。
【００１０】
【課題を解決するための手段】
このため、請求項１に記載の発明は、後身頃にサイドフラップを有し、該サイドフラップの両側にサイドパネルを固定して備え、該サイドパネルの自由端部に前身頃と止着する止着部を設けた、身体に装着して排泄物を吸収し保持する展開型吸収性物品において、
前記自由端部は、前記止着部が内側となるように前記サイドパネルの固定端部に第１の接着強度で剥離可能に折曲・固定され、
前記固定端部は、前記自由端部が内側となるように前記サイドフラップに第２の接着強度で剥離可能に折曲・固定された展開型吸収性物品であって、
前記第２の接着強度が前記第１の接着強度より大きいことを特徴とする。
【００１１】
したがって、サイドパネルの固定端部をサイドフラップから第２の接着強度で剥すと、それより小さい第１の接着強度で剥離可能に固定されているサイドパネルの自由端部が固定端部から剥がれるので、サイドパネルの自由端部を改めて剥離させる必要がなく、容易にサイドパネルの自由端部にある止着部を拡げることができる。したがって、交換しやすい展開型吸収性物品を提供することができる。
【００１２】
請求項２に記載の発明は、請求項１に記載の展開型吸収性物品において、前記第２の接着強度が接着剤によってなされていることを特徴とする。
【００１３】
したがって、安価に固定端部をサイドフラップに固定することができ、かつ接着剤の量を調整することにより、容易に第２の接着強度を調整することができる。
【００１４】
請求項３に記載の発明は、請求項１または２に記載の展開型吸収性物品において、前記止着部がメカニカルファスナーのオス材であることを特徴とする。
【００１５】
したがって、止着部と止着する前身頃を不織布とすると、簡単な構造で後身頃を前身頃に止着することができ、かつ、何度でも着脱することができる。
【００１６】
請求項４に記載の発明は、請求項１または２に記載の展開型吸収性物品において、前記止着部が粘着テープであることを特徴とする。
【００１７】
したがって、止着部と止着する前身頃をプラスチックとすると、簡単な構造で、かつ安価に後身頃を前身頃に止着することができる。
【００１８】
請求項５に記載の発明は、後身頃のサイドフラップの両側にサイドパネルを備え、該サイドパネルの自由端部に前身頃と止着する止着部を備え、身体に装着して排泄物を吸収し保持する展開型吸収性物品の製造方法において、
前記自由端部を前記止着部が内側となるように前記サイドパネルの固定端部に折り返して第１の接着強度で剥離可能に固定した後、
前記固定端部を前記自由端部が内側となるように前記サイドフラップに折り返して前記第１の接着強度より大きい第２の接着強度で剥離可能に固定することを特徴とする。
【００１９】
したがって、サイドパネルの固定端部をサイドフラップから第２の接着強度で剥すと、それより小さい第１の接着強度で剥離可能に固定されているサイドパネルの自由端部が固定端部から剥がれ、容易にサイドパネルの自由端部にある止着部を拡げられる展開型吸収性物品の製造方法を提供することができる。
【００２０】
【発明の実施の形態】
以下、図面を参照しつつ、この発明の実施の形態につき説明する。
は、この発明の展開型吸収性物品としての展開型紙おむつの展開図である。展開型紙おむつは、矩形の長辺のほぼ中央部分にそれぞれ切り欠き４０を設けた液不透過性のポリエチレンシートと不織布を張り合わせてなるバックシート１２と、メッシュ状の孔を複数有する不織布やフィルムなどを長方形に形成した液透過性のトップシート１１と、その間に介在する綿状パルプに高分子吸収体ポリマーを散在させた吸収体１３を備える。この吸収体１３は、表面を吸収用のティシュペーパー１８で覆われている。さらに吸収体１３は、トップシート１１側に位置する上層吸収体１４とバックシート１２側に位置する下層吸収体１５とからなる。
【００２１】
また、吸収体１３の長手方向の両縁に沿って不図示の立体ギャザーを備え、そのギャザーシート２６を、展開型紙おむつの前身頃１６と後身頃１９のそれぞれ左右両側に延出した、前身頃サイドフラップ２１Ａ，２１Ｂ、後身頃サイドフラップ２２Ａ，２２Ｂ上に備えてなる。
【００２２】
後身頃サイドフラップ２２Ａ，２２Ｂの両側には、サイドパネル２３Ａ，２３Ｂを固定して備える。このサイドパネル２３Ａ，２３Ｂは、一端を後身頃サイドフラップ２２Ａ，２２Ｂに固定されて固定端部とし、他端に前身頃１６と止着する止着部２４を設けて自由端部とする。
【００２３】
ところで、サイドパネル２３Ｂは基材シート２５と止着部２４を備え、詳しくは、図２（ａ），（ｂ）のようになっている。すなわち、不織布などからなる基材シート２５の一端は、後身頃サイドフラップ２２Ｂのギャザーシート２６とバックシート１２の間に挟み込むようにして接着剤などで固定されて、固定端部２５Ａとする。一方、基材シート２５の他端は、前身頃のバックシート１２の不織布と係合して止着するようにメカニカルファスナーのオス材からなる止着部２４をギャザーシート２６側に２ヶ所設けて、自由端部２５Ｂとする。
【００２４】
なお、サイドパネル２３Ａの構成は、サイドパネル２３Ｂとは左右が反転する以外は同じ構成であるので説明を省略する。
【００２５】
次に、このように構成されたサイドパネル２３Ｂが展開型紙おむつの製造工程において、製造ライン上でトップシート１１側に折り畳まれる方法について説明する。まず、図２（ａ），（ｂ）において、固定端部２５Ａの、自由端部２５Ｂを折り返して止着部２４がギャザーシート２６と接する箇所にホットメルト接着剤Ｇ１を適宜塗布する。このホットメルト接着剤Ｇ１は、ノンタックタイプで、糸引きをしないように粘度３０００ｃｐｓ以上のものを用いることが好ましい。
【００２６】
そして、自由端部２５Ｂを止着部２４が内側となるように折曲線Ｆ１にてサイドパネル２３Ｂの固定端部２５Ａに折曲して接着剤Ｇ１と接合させることにより剥離可能に固定すると、図３（ａ），（ｂ）のようになる。このとき、ホットメルト接着剤Ｇ１の塗布量は、自由端部２５Ｂを固定端部２５Ａから第１の接着強度で剥離できる程度の塗布量、すなわち１０ｇ／ｍ２にする。したがって、サイドパネル２２Ｂの基材シート２５に用いる不織布は、メカニカルファスナーのオス材からなる止着部２４と係合しないものであってもよいので、素材の選択の幅が拡がる。
【００２７】
次に、自由端部２５Ｂの止着部２４が設けられているちょうど反対側にホットメルト接着剤Ｇ２を、また、サイドフラップ２２Ｂの所望の箇所にホットメルト接着剤Ｇ３をそれぞれ適宜塗布する。このホットメルト接着剤Ｇ２，Ｇ３は、ノンタックタイプで、糸引きをしないように粘度３０００ｃｐｓ以上のものを用いることが好ましい。
【００２８】
そして、固定端部２５Ａを自由端部２５Ｂが内側となるように折曲線Ｆ２にてサイドフラップ２２Ｂに折曲して接着剤Ｇ２，Ｇ３と接合させることにより剥離可能に固定すると、図４（ａ），（ｂ）のようになる。このとき、接着剤Ｇ２，Ｇ３の塗布量は、サイドフラップ２３Ｂをギャザーシート２６から第２の接着強度で剥離できる程度の塗布量、すなわち、１０〜６０ｇ／ｍ２にする。
【００２９】
すなわち、第２の接着強度が接着剤Ｇ２，Ｇ３によってなされる。この第２の接着強度は、前述の第１の接着強度より大きくなるように接着剤Ｇ２，Ｇ３の塗布量を適宜調整する。このとき、（接着剤Ｇ２による接着強度）＞（接着剤Ｇ１による接着強度）＞（接着剤Ｇ３による接着強度）となるようにしてもよい。
なお、サイドパネル２３Ａは、サイドパネル２３Ｂと同様にして折り畳んで、サイドフラップ２２Ａに剥離可能に固定するので説明を省略する。
【００３０】
このように構成された展開型紙おむつを使用するときは、まず、図５に示すように、展開型紙おむつのサイドパネル２３Ａ，２３Ｂをサイドフラップ２２Ａ，２２Ｂから剥離して開く。このとき、サイドパネル２３Ａ，２３Ｂが、ギャザーシート２６に接着剤Ｇ２，Ｇ３によって第２の接着強度で剥離可能に固定されるとともに、その自由端部２５Ｂが固定端部２５Ａに接着剤Ｇ１によって第１の接着強度で剥離可能に固定されているので、サイドフラップ２２Ａ，２２Ｂをギャザーシート２６から第２の接着強度で剥す際、自由端部２５Ｂも固定端部２５Ａから剥がれる。したがって、一度の剥離で自由端部２５Ｂを固定端部２５Ａから開放することができ、効率的に展開型紙おむつを交換できる。
【００３１】
そして、寝た状態の使用者の臀部を展開型紙おむつの略中央に後身頃１９に腰が当たるように載せ、両脚の付け根部分をそれぞれ切り欠き４０に載せる。さらに、前身頃１６を使用者の腹部に当てて後身頃１９の後身頃サイドパネル２３Ａ，２３Ｂの先端を摘んで、止着部２４をバックシート１２の前身頃１６にそれぞれ係合させて、展開型紙おむつを使用者の身体に装着する。
【００３２】
吸収体１３が一定量の排泄物を吸収したときは、まず、バックシート１２の前身頃１６に係合している止着部２４を剥離して、展開型紙おむつを開く。そして、新しい展開型紙おむつを上述の手順で使用者に装着する。
【００３３】
なお、この例では、サイドパネル２３Ａ，２３Ｂをサイドフラップ２２Ａ，２２Ｂに第２の接着強度で剥離可能に固定するにあたり、接着剤Ｇ２，Ｇ３を用いたが、この発明はこれに限定されるものではなく、接着剤Ｇ２のみを用いてサイドパネル２３Ａ，２３Ｂをサイドフラップ２２Ａ，２２Ｂに第２の接着強度で剥離可能に固定してもよい。もちろん、接着剤Ｇ１，Ｇ２，Ｇ３は、ホットメルト接着剤に限定されるものではない。
【００３４】
また、接着剤Ｇ２，Ｇ３に代えて、メカニカルファスナーなどを用いてサイドパネル２３Ａ，２３Ｂをサイドフラップ２２Ａ，２２Ｂに第２の接着強度で剥離可能に固定してもよい。
【００３５】
さらに、上述の例では、サイドパネル２３Ａ，２３Ｂの自由端部２５Ｂに止着部２４を２ヶ所設けたが、この発明はこれに限定されるものではなく、例えば、図６に示すように、自由端部２５Ｂに止着部２４を１ヶ所設けるようにしてもよい。このようにすると、製造工程を簡略化することができる。
【００３６】
また、上述の例では、止着部２４をメカニカルファスナーのオス材とし、バックシート１２の前身頃１６部分を不織布として、止着部２４をバックシート１２の前身頃１６部分に係止することによって、展開型紙おむつを身体に装着したが、この発明はこれに限定されるものではなく、止着部２４を粘着テープとし、バックシート１２の前身頃１６部分をポリエチレンフィルムなどにして、止着部２４をバックシート１２の前身頃１６部分に貼着することによって、展開型紙おむつを身体に装着してもよい。
【００３７】
さらに、上述の例では、展開型紙おむつの使用面側に立体ギャザーを備え、そのギャザーシート２６を前身頃サイドフラップ２１Ａ，２１Ｂ、後身頃サイドフラップ２２Ａ，２２Ｂに延出したが、この発明はこれに限定されるものではなく、立体ギャザーを備えない展開型紙おむつにも適応することができる。
【００３８】
この場合、ギャザーシート２６に代えて、トップシート１１が前身頃サイドフラップ２１Ａ，２１Ｂ、後身頃サイドフラップ２２Ａ，２２Ｂに延出する。したがって、止着部２４を後身頃サイドフラップ２２Ａ，２２Ｂにあるトップシート１１に止着させて、サイドパネル２３Ａ，２３Ｂを折り畳むようにする。
【００３９】
【発明の効果】
以上、詳述したように、この発明によれば、交換しやすい展開型吸収性物品を提供することができる。
【図面の簡単な説明】
【図１】この発明の吸収性物品の一例としての展開型紙おむつの展開図である。
【図２】図１の展開型紙おむつのサイドパネルの自由端部を折り畳む様子を説明するための図であり、（ａ）は要部平面図、（ｂ）は要部断面図である。
【図３】図１の展開型紙おむつのサイドパネルの固定端部を折り畳む様子を説明するための図であり、（ａ）は要部平面図、（ｂ）は要部断面図である。
【図４】図１の展開型紙おむつのサイドパネルをサイドフラップ上に折り畳む様子を説明するための図であり、（ａ）は要部平面図、（ｂ）は要部断面図である。
【図５】図１の展開型紙おむつを使用者に装着する手順を説明するための図である。
【図６】この発明の展開型紙おむつに備えるサイドパネルの別の例である。
【図７】従来の展開型紙おむつのサイドパネル付近の要部断面図である。
【符号の説明】
１１    トップシート
１２    バックシート
１３    吸収体
１４    上層吸収体
１５    下層吸収体
１６    前身頃
１８    ティシュ
１９    後身頃
２１Ａ，２１Ｂ    前身頃サイドフラップ
２２Ａ，２２Ｂ    後身頃サイドフラップ
２３Ａ，２３Ｂ    サイドパネル
２４    止着部
２５    基材シート
２５Ａ    固定端部
２５Ｂ    自由端部
２６    ギャザーシート
Ｆ１，Ｆ２    折返線
Ｇ１，Ｇ２，Ｇ３    接着剤
【図１】
2004298455.tif 000003
【図２】
2004298455.tif 000004
【図３】
2004298455.tif 000005
【図４】
2004298455.tif 000006
【図５】
2004298455.tif 000007
【図６】
2004298455.tif 000008
【図７】
2004298455.tif 000009